(57)【要約】      （修正有）【課題】ペットボトル等の飲料ボトルに装着したとき、及び飲料ボトルから取り外したときのいずれにおいても、小物類収納用の収容部を形成することのできる飲料ボトル装着用収容ケースアタッチメントを提供する。【解決手段】筒状部３には、その内部空間を軸方向に区分する仕切壁４ａが設けられている。突出側端部の第一開口を第一キャップ５で閉鎖することにより、筒状部３の内部には、この仕切壁４ａを底とし、小物類（例えば抽出用の茶葉Ｔ）を収納するための収容空間を有する収容部４が形成される。取付け円筒部１に第二キャップ７が装着されたとき、仕切壁４ａの下側に形成される取付け円筒部１の内部空間は、上記小物類を収納するための予備収容空間を形成する。【選択図】図１
0003171118.tif 000002
【実用新案登録請求の範囲】
【請求項１】
ペットボトル等の飲料ボトルに直接又は中間部材を介して間接的に着脱可能に装着される飲料ボトル装着用収容ケースアタッチメントであって、
前記飲料ボトル及び前記中間部材に形成された雄ねじ部と螺合可能な雌ねじ部が内周面に形成された取付け円筒部と、
前記取付け円筒部の雌ねじ部が前記雄ねじ部に取り付けられた状態で該取付け円筒部から一体的に上方に突出するとともに、内部空間を軸方向に区分する仕切壁を有する筒状部と、
前記筒状部の突出側に形成される第一開口を閉鎖するために、前記筒状部と一体的に又は別体に形成された第一キャップと、
前記取付け円筒部の雌ねじ部が前記雄ねじ部から取り外されたとき該取付け円筒部に開口する第二開口を閉鎖するために、前記取付け円筒部と一体的に又は別体に形成された第二キャップと、
を備え、
前記取付け円筒部の雌ねじ部が前記雄ねじ部に取り付けられた状態において、前記仕切壁は前記飲料ボトルの開口部を閉鎖するとともに、前記筒状部の第一開口は前記第一キャップで閉鎖されて飲食品、栄養補助食品、医薬品、硬貨、小型医療器具等の小物類を収納する収容部が形成される一方、
前記取付け円筒部の雌ねじ部が前記雄ねじ部から取り外された状態において、前記筒状部の第一開口は前記第一キャップで閉鎖されて前記収容部が形成されるとともに、前記取付け円筒部の第二開口は前記第二キャップで閉鎖されることを特徴とする飲料ボトル装着用収容ケースアタッチメント。
【請求項２】
前記第一キャップの外面には凹部が形成され、該凹部にはキャラクター等所定の意匠が描かれた意匠プレートあるいはキャラクター等を象った立体物を取り付け可能である請求項１に記載の飲料ボトル装着用収容ケースアタッチメント。
【請求項３】
前記取付け円筒部の第二開口側端部及び前記第二キャップには、両者を互いに分離可能に一体化するために、弾性変形によって係合する係合部がそれぞれ形成されている請求項１又は２に記載の飲料ボトル装着用収容ケースアタッチメント。
【請求項４】
前記第二キャップの外面には、前記取付け円筒部との係合を解除する際に手指で保持するための保持部が形成されている請求項３に記載の飲料ボトル装着用収容ケースアタッチメント。
【請求項５】
前記取付け円筒部又は筒状部と前記第二キャップとをつなぐストラップが設けられ、前記係合部の係合解除により前記第二キャップが前記取付け円筒部から分離されたときに、前記ストラップは前記第二キャップを吊下げ状態で支持する請求項３又は４に記載の飲料ボトル装着用収容ケースアタッチメント。
【請求項６】
前記第二キャップは、周方向の所定位置において前記取付け円筒部の第二開口側端部と接続部を介して一体的に接続され、その接続部を支点にして回動することにより前記取付け円筒部の第二開口を開閉する請求項３又は４に記載の飲料ボトル装着用収容ケースアタッチメント。
【請求項７】
前記収容部が前記仕切壁と所定の収容空間とを有する区画筒状部を形成するとき、前記筒状部は、複数の区画筒状部が軸方向に積層された状態で前記飲料ボトルの開口円筒部に装着される請求項１ないし６のいずれか1項に記載の飲料ボトル装着用収容ケースアタッチメント。
【請求項８】
隣り合う前記区画筒状部には、両者を互いに分離可能に一体化するために、弾性変形によって嵌合する区画嵌合部がそれぞれ形成されている請求項７に記載の飲料ボトル装着用収容ケースアタッチメント。
【請求項９】
前記区画筒状部の外周面には、隣接する区画筒状部との嵌合を解除する際に手指で把持するための区画把持部が形成されている請求項８に記載の飲料ボトル装着用収容ケースアタッチメント。
【請求項１０】
隣り合う前記区画筒状部は、周方向の所定位置において区画連結部を介して一体的に連結され、その区画連結部を支点にして回動することにより前記区画嵌合部の嵌合を解除する請求項８又は９に記載の飲料ボトル装着用収容ケースアタッチメント。
【請求項１１】
前記筒状部の第一開口側端部及び前記第一キャップには、両者を互いに分離可能に一体化するために、弾性変形によって嵌合する嵌合部がそれぞれ形成されている請求項１ないし１０のいずれか1項に記載の飲料ボトル装着用収容ケースアタッチメント。
【請求項１２】
前記第一キャップの外面には、前記筒状部との嵌合を解除する際に手指で把持するための把持部が形成されている請求項１１に記載の飲料ボトル装着用収容ケースアタッチメント。
【請求項１３】
前記第一キャップは、周方向の所定位置において前記筒状部の第一開口側端部と連結部を介して一体的に連結され、その連結部を支点にして回動することにより前記筒状部の第一開口を開閉する請求項１１又は１２に記載の飲料ボトル装着用収容ケースアタッチメント。
【考案の詳細な説明】
【技術分野】
【０００１】
本考案は、例えば、ペットボトル（ＰＥＴ（ポリエチレンテレフタレート）樹脂製容器）のようなプラスチック材料製の飲料ボトルや、スチール缶、アルミ缶のような金属材料製の飲料ボトルの開口部に装着される飲料ボトル装着用収容ケースアタッチメントに関する。
【背景技術】
【０００２】
ペットボトルの上部に開口として形成された開口円筒部に着脱可能に装着される、アタッチメント式の小物容器が知られている（特許文献１参照）。例えば、マスコットキャラクター付き蓋部材をペットボトルの開口円筒部にねじ嵌合すれば、ペットボトルキャップの代わりとして使用でき、また、その蓋部材と容器本体とをねじ嵌合すれば、小物入れとしても使用できる。
【先行技術文献】
【特許文献】
【０００３】
【特許文献１】登録実用新案第３０８６１０３号公報
【０００４】
しかし、特許文献１の蓋部材をペットボトルの開口円筒部に装着したときには、小物入れとしての機能を有さず、一方、蓋部材を容器本体に装着したときには、ペットボトルのキャップとしての機能を有しない。このように、特許文献１の蓋部材は、キャップとしての機能と小物入れとしての機能とのうち、いずれか一方の単機能しか発揮できない。
【考案の概要】
【考案が解決しようとする課題】
【０００５】
本考案の課題は、ペットボトル等の飲料ボトルに装着したとき、及び飲料ボトルから取り外したときのいずれにおいても、小物類収納用の収容部を形成することのできる飲料ボトル装着用収容ケースアタッチメントを提供することにある。
【課題を解決するための手段及び考案の効果】
【０００６】
上記課題を解決するために、本考案の飲料ボトル装着用収容ケースアタッチメントは、
ペットボトル等の飲料ボトルに直接又は中間部材を介して間接的に着脱可能に装着される飲料ボトル装着用収容ケースアタッチメントであって、
前記飲料ボトル及び前記中間部材に形成された雄ねじ部と螺合可能な雌ねじ部が内周面に形成された取付け円筒部と、
前記取付け円筒部の雌ねじ部が前記雄ねじ部に取り付けられた状態で該取付け円筒部から一体的に上方に突出するとともに、内部空間を軸方向に区分する仕切壁を有する筒状部と、
前記筒状部の突出側に形成される第一開口を閉鎖するために、前記筒状部と一体的に又は別体に形成された第一キャップと、
前記取付け円筒部の雌ねじ部が前記雄ねじ部から取り外されたとき該取付け円筒部に開口する第二開口を閉鎖するために、前記取付け円筒部と一体的に又は別体に形成された第二キャップと、
を備え、
前記取付け円筒部の雌ねじ部が前記雄ねじ部に取り付けられた状態において、前記仕切壁は前記飲料ボトルの開口部を閉鎖するとともに、前記筒状部の第一開口は前記第一キャップで閉鎖されて飲食品、栄養補助食品、医薬品、硬貨、小型医療器具等の小物類を収納する収容部が形成される一方、
前記取付け円筒部の雌ねじ部が前記雄ねじ部から取り外された状態において、前記筒状部の第一開口は前記第一キャップで閉鎖されて前記収容部が形成されるとともに、前記取付け円筒部の第二開口は前記第二キャップで閉鎖されることを特徴とする。
【０００７】
このように、上記アタッチメントは、装着時、取外し時のいずれにおいても、小物類を収納する機能を有する。したがって、アタッチメントを装着した時には、小物類を飲料ボトルとともに携行したり保管したりできるので、利便性が向上するとともに、小物類の紛失を防止することもできる。また、取り外したアタッチメントを携行するときには、小物類を容易に持ち運びできるとともに、第二キャップで第二開口を閉鎖することにより、第二開口内部を汚すことなく衛生的な状態を保つことができる。あるいは、取外し時において、取付け円筒部の内部空間を予備的な収容空間として使用できる。さらに、取付け円筒部に形成された雌ねじ部が飲料ボトルの雄ねじ部及び中間部材の雄ねじ部のいずれとも螺合可能であるから、飲料ボトル装着用収容ケースアタッチメントを飲料ボトルに直接装着する形態と、中間部材を介して間接的に装着する形態とに容易に変更でき、しかもそのいずれの形態においても小物類の収納機能を発揮できる。第一キャップと筒状部との取付け及び第二キャップと取付け円筒部との取付けは、弾性変形によって嵌合する方式、ねじによって嵌合する方式のいずれであってもよい。
【０００８】
なお、筒状部に形成される収容部（収容空間）には、例えば次のような小物類を収納することができる。また、アタッチメント取外し時において、第二キャップで第二開口を閉鎖して取付け円筒部の内部空間を予備収容空間とする場合も同様である。
（１）茶葉等の抽出用食品、キャンディ等のおやつを含む飲食品（つまり、飲食品ケースとして）；
（２）ビタミン、ミネラル、プロテイン等の栄養補助食品（つまり、サプリメントケースとして）；
（３）錠剤、カプセル等の医薬品（つまり、ピルケースとして）；
（４）硬貨（つまり、コインケースとして）；
（５）コンタクトレンズ、補聴器等の小型医療器具（つまり、ヘルスケアケースとして）；
（６）クリップ、画鋲等の小型事務用品（つまり、ステーショナリケースとして）；
（７）イアリング、ピアス等の身飾り品（つまり、アクセサリケースとして）。
【０００９】
そして、第一キャップの外面（外端面又は外周面）には凹部が形成され、凹部にはキャラクター等所定の意匠が描かれた意匠プレートあるいはキャラクター等を象った立体物を取り付け可能である。
【００１０】
このような意匠プレートや立体物を凹部に取り付け可能とすることにより、通常のボトルキャップとは異なる特殊なデザイン形状や色彩を付加することも容易である。それによって、例えば、オリジナルマイボトル運動やボトルキャップ回収運動の一層の促進を図り、ペットボトル等の飲料ボトルやボトルキャップの再利用効率を高め、資源の有効活用に資することができる。なお、意匠プレートの場合には、凹部に対し弾性変形によって嵌合するとよい。一方、立体物の場合には、凹部に形成した雌ねじ部に対し立体物の一部に形成した雄ねじ部を螺合する方式と、凹部に対し弾性変形によって嵌合する方式とを選択できる。
【００１１】
なお、筒状部又は取付け円筒部に携帯用のストラップを取り付ける場合には、取り外したアタッチメントの携行や保管がさらに容易になる。
【００１２】
取付け円筒部の第二開口側端部及び第二キャップには、両者を互いに分離可能に一体化するために、弾性変形によって係合する係合部がそれぞれ形成されている。
【００１３】
係合部を着脱する（係合したり係合解除したりする）ことによって、第二キャップの取付け・取外しがワンタッチで行える。したがって、小物類の出し入れが容易に行え、利便性がさらに向上する。なお、「弾性変形による係合」とは、少なくとも一部が接触することによって弾性変形し、その後弾性復帰することで係合状態が維持できればよく、係合部は次のいずれの方式で形成してもよい。
（１）取付け円筒部の第二開口側端部と第二キャップとのうち、一方の内周面と他方の外周面とが係合する周面係合方式（以下の２タイプがある）；
（１−１）第二キャップの内周面と取付け円筒部の外周面とが係合するなつめ（棗）蓋タイプ；
（１−２）取付け円筒部の内周面と第二キャップの外周面とが係合する落し蓋タイプ；
（２）取付け円筒部の第二開口側端部と第二キャップとのうち、一方の端面において周方向に連続的又は断続的に形成された凸部と、他方の端面において周方向に連続的又は断続的に形成された凹部とが係合する端面係合方式。
【００１４】
この場合、第二キャップの外面（外端面又は外周面）には、取付け円筒部との係合を解除する際に手指で保持するための保持部が形成されている。
【００１５】
第二キャップの外面に保持部を形成することによって、第二キャップの係合解除操作が容易に行える。なお、保持部は、例えば、周方向において全体的に又は部分的に、第二キャップの外周面から半径方向外方へ向かって突出する突起部として形成される。
【００１６】
取付け円筒部又は筒状部と第二キャップとをつなぐストラップが設けられ、係合部の係合解除により第二キャップが取付け円筒部から分離されたときに、ストラップは第二キャップを吊下げ状態で支持する。
【００１７】
第二キャップが取付け円筒部から分離されたときに、ストラップは第二キャップを吊下げ状態で支持するので、第二キャップを散逸することがない。また、このとき取付け円筒部の第二開口が大きく開放されるので、飲料ボトルへ着脱する際に第二キャップが邪魔にならない。なお、ストラップの具体例として、取付け円筒部の外周面に突出形成された膨出部と第二キャップの外周面に突出形成された保持部とを貫通してループ状につなぐものでもよい。
【００１８】
第二キャップは、周方向の所定位置において取付け円筒部の第二開口側端部と接続部を介して一体的に接続され、その接続部を支点にして回動することにより取付け円筒部の第二開口を開閉する。
【００１９】
取付け円筒部の第二開口側端部と第二キャップとの間に接続部を形成することによって、係合部の係合解除操作に伴い、第二キャップを散逸することがない。なお、接続部は、ヒンジ（蝶番）で構成したり、柔軟性を有する帯状、紐状の接続体で構成したりすることができる。
【００２０】
これらの飲料ボトル装着用収容ケースアタッチメントにおいて、収容部が仕切壁と所定の収容空間とを有する区画筒状部を形成するとき、複数の区画筒状部が軸方向に積層された状態で、筒状部を飲料ボトルの開口円筒部に装着する。
【００２１】
これによって、複数の小物類を異なる区画筒状部にそれぞれ収納できるので、あたかも整理ダンスのように小物類を種類別・品目別に仕分けして保管することができる。なお、複数（例えば２個）の区画筒状部を形成するに当たっては、予め全体としての筒状部の大きさ（軸方向長さ又は容積）を決め、仕切壁によって筒状部をさらに軸方向に区分して複数の区画筒状部に細分化する場合と、予め大きさ（軸方向長さ又は容積）の決められた区画筒状部を軸方向に積み上げることによって、全体を筒状部に構成する場合とがある。
【００２２】
例えば、隣り合う区画筒状部には、両者を互いに分離可能に一体化するために、弾性変形によって嵌合する区画嵌合部がそれぞれ形成されている。
【００２３】
区画嵌合部を着脱する（嵌合したり嵌合解除したりする）ことによって、隣り合う区画筒状部の取付け・取外しがワンタッチで行える。したがって、小物類の出し入れが容易に行えるとともに、飲料ボトルに装着する区画筒状部の数を必要数（使用数）に応じて増減することも可能となるので、利便性がさらに向上する。なお、「弾性変形による嵌合」とは、少なくとも一部が接触することによって弾性変形し、その後弾性復帰することで嵌合状態が維持できればよく、区画嵌合部は次のいずれの方式で形成してもよい。
（１）隣り合う区画筒状部のうち、一方の区画筒状部の内周面と他方の区画筒状部の外周面とが嵌合する周面嵌合方式；
（２）隣り合う区画筒状部のうち、一方の区画筒状部の端面において周方向に連続的又は断続的に形成された凸部と、他方の区画筒状部の端面において周方向に連続的又は断続的に形成された凹部とが嵌合する端面嵌合方式。
【００２４】
この場合、区画筒状部の外周面には、隣接する区画筒状部との嵌合を解除する際に手指で把持するための区画把持部が形成されている。
【００２５】
区画筒状部の外周面に区画把持部を形成することによって、隣接する区画筒状部との嵌合解除操作が容易に行える。なお、区画把持部は、例えば、周方向において全体的に又は部分的に、区画筒状部の外周面から半径方向外方へ向かって突出する区画突出部として形成される。
【００２６】
あるいは、隣り合う区画筒状部は、周方向の所定位置において区画連結部を介して一体的に連結され、その区画連結部を支点にして回動することにより区画嵌合部の嵌合を解除する。
【００２７】
隣り合う区画筒状部の間に区画連結部を形成することによって、区画嵌合部の嵌合解除操作に伴い、いずれかの区画筒状部を散逸することがない。なお、区画連結部は、ヒンジ（蝶番）で構成したり、柔軟性を有する帯状、紐状の区画連結体で構成したりすることができる。
【００２８】
ところで、以上のような飲料ボトル装着用収容ケースアタッチメントにおいて、筒状部の第一開口側端部及び第一キャップには、両者を互いに分離可能に一体化するために、弾性変形によって嵌合する嵌合部がそれぞれ形成されている。
【００２９】
嵌合部を着脱する（嵌合したり嵌合解除したりする）ことによって、第一キャップの取付け・取外しがワンタッチで行える。したがって、小物類の出し入れが容易に行え、利便性がさらに向上する。なお、「弾性変形による嵌合」とは、少なくとも一部が接触することによって弾性変形し、その後弾性復帰することで嵌合状態が維持できればよく、嵌合部は次のいずれの方式で形成してもよい。
（１）筒状部の第一開口側端部と第一キャップとのうち、一方の内周面と他方の外周面とが嵌合する周面嵌合方式（以下の２タイプがある）；
（１−１）第一キャップの内周面と筒状部の外周面とが嵌合するなつめ（棗）蓋タイプ；
（１−２）筒状部の内周面と第一キャップの外周面とが嵌合する落し蓋タイプ；
（２）筒状部の第一開口側端部と第一キャップとのうち、一方の端面において周方向に連続的又は断続的に形成された凸部と、他方の端面において周方向に連続的又は断続的に形成された凹部とが嵌合する端面嵌合方式。
【００３０】
この場合、第一キャップの外面には、筒状部との嵌合を解除する際に手指で把持するための把持部が形成されている。
【００３１】
第一キャップの外面に把持部を形成することによって、第一キャップの嵌合解除操作が容易に行える。なお、把持部は、例えば、周方向において全体的に又は部分的に、第一キャップの外周面から半径方向外方へ向かって突出する突出部として形成される。
【００３２】
あるいは、第一キャップは、周方向の所定位置において筒状部の第一開口側端部と連結部を介して一体的に連結され、その連結部を支点にして回動することにより筒状部の第一開口を開閉する。
【００３３】
筒状部の第一開口側端部と第一キャップとの間に連結部を形成することによって、嵌合部の嵌合解除操作に伴い、第一キャップを散逸することがない。なお、連結部は、ヒンジ（蝶番）で構成したり、柔軟性を有する帯状、紐状の連結体で構成したりすることができる。
【図面の簡単な説明】
【００３４】
【図１】本考案に係るケースアタッチメントを、中間部材である飲用アタッチメントを介して装着したペットボトルの一例を示す正面断面図。
【図２】本考案に係るケースアタッチメントの一例を示す正面図。
【図３】図２の平面図。
【図４】図２の正面断面図。
【図５】図４から第一及び第二キャップを開放した状態の正面断面図。
【図６】本考案に係るケースアタッチメントの他の例を示す正面図。
【図７】図６の平面図。
【図８】図６の正面断面図。
【図９】図８から第一及び第二キャップを開放した状態の正面断面図。
【図１０】図８の第一変形例を示す正面断面図。
【図１１】図８の第二変形例を示す正面断面図。
【図１２】本考案に係るケースアタッチメントのさらに他の例を示す正面断面図。
【図１３】図１２の第一変形例を示す正面断面図。
【図１４】図１２の第二変形例を示す正面断面図。
【図１５】本考案に係るケースアタッチメントを直接装着したペットボトルの一例を示す正面断面図。
【図１６】図４の変形例を示す正面断面図。
【考案を実施するための形態】
【００３５】
（実施例１）
以下、本考案の実施形態を図面を参照しつつ説明する。図１は本考案に係るケースアタッチメントを、中間部材である飲用アタッチメントを介して装着したペットボトルの一例を示す正面断面図である。また、図２は本考案に係るケースアタッチメントの一例を示す正面図、図３はその平面図、図４は同じく正面断面図、図５は第一及び第二キャップを開放した状態の正面断面図である。図１に示す飲料ボトル装着用飲用アタッチメント（以下、単に飲用アタッチメントともいう）１００は、中間部材として、ペットボトルＢ（飲料ボトル）の上部に開口として形成された開口円筒部Ｎに着脱可能に装着される。具体的には、この飲用アタッチメント１００は、雌ねじ付き円筒部１０１と本体部１０３と開口形成円筒部１０４とを備えている。
【００３６】
雌ねじ付き円筒部１０１の内周面には、ペットボトルＢの開口円筒部Ｎの外周面に形成された雄ねじ部ＢＳと螺合する雌ねじ部１０２が形成されている。本体部１０３は、雌ねじ付き円筒部１０１の雌ねじ部１０２が開口円筒部Ｎの雄ねじ部ＢＳに螺合した状態で、本体開口部１０３ａの外周面が開口円筒部Ｎの内側に位置するとともに、雌ねじ付き円筒部１０１からペットボトルＢの内部に向かって、雌ねじ付き円筒部１０１と同心的かつ一体的に延びている。この本体部１０３は、内外間において水、抽出液等の液体Ｗの進入を許容しつつ一定以上の大きさの固体（例えば茶殻ＴＬ等の残渣）の通過を阻止する。
【００３７】
そのために、本体部１０３は、本体開口部１０３ａを含む筒状（例えば円筒状）の周壁部と、その下端にてドーム状（例えば半球状）に閉塞する先端（下端）部とが一体成形され、周壁部と先端部とにそれぞれ多数の貫通孔１０３ｂ（例えば直径１〜ｍｍ）が形成された多孔部として構成されている。開口形成円筒部１０４は、雌ねじ付円筒部１０１からこれと同心的かつ一体的に、本体部１０３とは反対へ突出している。この開口形成円筒部１０４の外周面には、図示しないボトルキャップの内周面に形成された雌ねじ部と螺合する雄ねじ部１０５が形成されている。
【００３８】
一方、図２〜図５に示す飲料ボトル装着用収容ケースアタッチメント（以下、単にケースアタッチメントともいう）１０は、中間部材としての飲用アタッチメント１００の開口形成円筒部１０４に着脱可能に装着される（図１参照）。具体的には、このケースアタッチメント１０は、取付け円筒部１と筒状部３と第一キャップ５と第二キャップ７とを備えている。
【００３９】
取付け円筒部１の内周面には、飲用アタッチメント１００の開口形成円筒部１０４の外周面に形成された雄ねじ部１０５（図１参照）と螺合する雌ねじ部２が形成されている。すなわち、取付け円筒部１の雌ねじ部２は、ペットボトルＢの雄ねじ部ＢＳ及び飲用アタッチメント１００の雄ねじ部１０５のいずれとも螺合可能である。筒状部３は円筒状に形成され、飲用アタッチメント１００の開口形成円筒部１０４に装着された取付け円筒部１から同心的かつ一体的に外向き（開口形成円筒部１０４から遠ざかる方向；図１では上方側）に突出している。筒状部３の突出側端部及び第一キャップ５の周壁には、弾性変形によって嵌合する嵌合部３Ｆ，５Ｆがそれぞれ形成され、両者は互いに分離可能に一体化されている。具体的には、筒状部３の外周面に形成された筒状部側嵌合部３Ｆ（嵌合部）と、第一キャップ５の内周面に形成されたキャップ側嵌合部５Ｆ（嵌合部）とが弾性変形可能に嵌合し、いわゆるなつめ（棗）蓋方式（周面嵌合方式）で構成されている。
【００４０】
また、第一キャップ５の周壁の外周面から半径方向外方へ向かって、周壁における一部を突出することによって、突出部５Ｈ（把持部）が一体形成されている。突出部５Ｈは、第一キャップ５と取付け筒状部３との嵌合を解除する際に手指で把持される。さらに、第一キャップ５は、突出部５Ｈとは周方向の反対側において、柔軟性を有する帯状又は紐状の連結体５Ｃ（連結部）を介して、筒状部３の突出側端部と連結されている。したがって、筒状部３との嵌合を解除する際に、突出部５Ｈを手指で把持し、連結体５Ｃを支点にして第一キャップ５を回動すると、筒状部３の突出側端部に第一開口３ａが開放される（図５参照）。なお、筒状部３の上部外周面には、全周にわたって径方向外側に延出するフランジ部３Ｚが形成されている。
【００４１】
図４に示すように、第一キャップ５の天井壁外面（上面）には、ほぼ円形状の凹部５Ｄが形成され、この凹部５Ｄには文字、図形、キャラクター等所定の意匠が描かれた意匠プレート６（表示板や表示シート）が嵌合され（あるいは埋め込まれ）ている。これによって、オリジナルな第一キャップ５ひいてはケースアタッチメント１０を提供することができる。また、第一キャップ５に取り付ける意匠プレート６には、通常のボトルキャップとは異なる特殊なデザイン形状や色彩を付加することによって、例えば、オリジナルマイボトル運動やボトルキャップ回収運動の一層の促進を図り、ペットボトルやボトルキャップの再利用効率を高め、資源の有効活用に資することができる。なお、凹部５Ｄを第一キャップ５の外周面に形成し、柔軟性のある意匠プレート６を埋め込んでもよい。
【００４２】
図２〜図５において、取付け円筒部１の下端部及び第二キャップ７の周壁には、弾性変形によって係合する係合部１Ｆ，７Ｆがそれぞれ形成され、両者は互いに分離可能に一体化されている。具体的には、取付け円筒部１の外周面に形成された円筒部側係合部１Ｆ（係合部）と、第二キャップ７の内周面に形成されたキャップ側係合部７Ｆ（係合部）とが弾性変形可能に係合し、いわゆるなつめ（棗）蓋方式（周面係合方式）で構成されている。
【００４３】
また、第二キャップ７の周壁の外周面から半径方向外方へ向かって、周壁における一部を半径方向外方へ向かって突出することによって、保持部７Ｈ（突起部）が一体形成されている。保持部７Ｈは、第二キャップ７と取付け円筒部１との係合を解除する際に手指で保持される。
【００４４】
さらに、取付け円筒部１と第二キャップ７とをつなぐストラップ８が設けられ、係合部１Ｆ，７Ｆの係合解除により第二キャップ７が取付け円筒部１から分離されたときに、ストラップ８は第二キャップ７を吊下げ状態で支持する（図５参照）。具体的には、取付け円筒部１の外周面に膨出部１Ｍが突出形成されるとともに、取付け円筒部１の膨出部１Ｍ及び第二キャップ７の保持部７Ｈには、ストラップ８を挿通させるための挿通孔１Ｍａ，７Ｈａがそれぞれ形成されている。ストラップ８はこれらの挿通孔１Ｍａ，７Ｈａを貫通してループ状につないでいる。したがって、第二キャップ７を取付け円筒部１から分離した場合でも第二キャップ７を散逸することがない。また、第二キャップ７の分離により取付け円筒部１に開口する第二開口１ａ（図５参照）が大きく開放されるので、ペットボトルＢ、飲用アタッチメント１００等へ着脱する際に第二キャップ７が邪魔にならない（図１参照）。
【００４５】
図１〜図５に示すように、筒状部３には、その内部空間を軸方向に区分する仕切壁４ａが設けられている。突出側端部の第一開口３ａを第一キャップ５で閉鎖することにより、筒状部３の内部には、この仕切壁４ａを底とし、飲食品、栄養補助食品、医薬品、硬貨、小型医療器具等の小物類（例えば抽出用の茶葉Ｔ（抽出用食品））を収納するための収容空間４ｂを有する収容部４が形成される。取付け円筒部１の雌ねじ部２が開口円筒部Ｎの雄ねじ部ＢＳに螺合したとき、仕切壁４ａはペットボトルＢの上部開口を閉鎖する機能を有する（図１参照）。また、第一キャップ５は、筒状部３の突出側端部に形成される第一開口３ａ及び上記収容空間４ｂを閉鎖する機能を有している。
【００４６】
一方、図２〜図４に示すように、取付け円筒部１がペットボトルＢ及び飲用アタッチメント１００から取り外され、かつ取付け円筒部１に第二キャップ７が装着されたとき、仕切壁４ａの下側に形成される取付け円筒部１の内部空間は、上記小物類を収納するための予備収容空間４ｂ’を形成する。すなわち、第二キャップ７は、取付け円筒部１に開口する第二開口１ａ及び上記予備収容空間４ｂ’を閉鎖する機能を有している（図５参照）。
【００４７】
この実施例に示すケースアタッチメント１０は、ペットボトルＢ及び飲用アタッチメント１００から取り外したときに、収容空間４ｂ及び予備収容空間４ｂ’を小物類収納用の収容部４として利用することができる。さらにこの実施例では、突出部５Ｈにより、第一キャップ５（キャップ側嵌合部５Ｆ）の嵌合解除操作が容易に行える。また、連結体５Ｃにより、キャップ側嵌合部５Ｆの嵌合を解除したとき第一キャップ５を散逸することがない。一方、保持部７Ｈにより、第二キャップ７（キャップ側係合部７Ｆ）の係合解除操作が容易に行える。また、ストラップ８により、キャップ側係合部７Ｆの係合を解除したとき第二キャップ７を散逸することがない。なお、取付け円筒部１、筒状部３及び第一キャップ５は、合成樹脂材料における二色成形等の手法を用いて、一体成形してもよい。
【００４８】
ところで、ケースアタッチメント１０は、中間部材としての飲用アタッチメント１００を介することなく、ペットボトルＢに直接装着してもよい。したがって、図１に示すペットボトルＢを使用するとき、次の３形態に変更可能である。
【００４９】
（１）付加的なアタッチメント使用形態
ペットボトルＢの雄ねじ部ＢＳに、飲用アタッチメント１００の雌ねじ付き円筒部１０１の雌ねじ部１０２が螺合する。さらに、飲用アタッチメント１００の開口形成円筒部１０４の雄ねじ部１０５に、ケースアタッチメント１０の取付け円筒部１の雌ねじ部２が螺合する（図１参照）。
（２）ケースアタッチメント使用形態
ペットボトルＢの雄ねじ部ＢＳにケースアタッチメント１０（取付け円筒部１）の雌ねじ部２が螺合する（図１５参照）。
（３）本来の使用形態
開口円筒部Ｎの外周面に形成された雄ねじ部ＢＳに、ボトルキャップの内周面に形成された雌ねじ部が螺合する（図示省略）。
【００５０】
このように、ケースアタッチメント１０と飲用アタッチメント１００とを用いるだけの簡素な構成によって、付加的なアタッチメント使用形態、ケースアタッチメント使用形態及び本来の使用形態に変更可能となり、利便性がますます向上する。つまり、付加的なアタッチメント使用形態では、ケースアタッチメント１０を取り外すことによって、ペットボトルＢ内の液体（例えば、ペットボトルＢ内で茶葉Ｔ等の抽出用食品から抽出した抽出液Ｗ）を飲用アタッチメント１００を介して飲用することができる。
【００５１】
（変形例）
図１６は図４の変形例を示す正面断面図である。図１６に示すように、第一キャップ５の凹部５Ｄには雌ねじ部５Ｓが形成され、キャラクター等（例えばペンギン）を象った立体物１６の底部周面には雄ねじ部１６Ｓが形成されている。第一キャップ５の雌ねじ部５Ｓに立体物１６の雄ねじ部１６Ｓを螺合することによって、立体物１６が第一キャップ５（凹部５Ｄ）に取り付けられる。これによって、オリジナルな第一キャップ５ひいてはケースアタッチメント１０を提供することができる。なお、図４と同様に、凹部５Ｄに対し立体物１６の底部を弾性変形によって嵌合してもよい。
【００５２】
（実施例２）
図６は本考案に係るケースアタッチメントの他の例を示す正面図、図７はその平面図、図８は同じく正面断面図、図９は第一及び第二キャップを開放した状態の正面断面図である。図６〜図９においても、取付け円筒部１の外周面に形成された円筒部側係合部１Ｆ（係合部）と、第二キャップ７の内周面に形成されたキャップ側係合部７Ｆ（係合部）とが弾性変形可能に係合し、いわゆるなつめ（棗）蓋方式（周面嵌合方式）で構成されている。ただし、この実施例では第二キャップ７の周壁が保持部７Ｈに兼用されているので、第二キャップ７と取付け円筒部１との係合を解除する際には第二キャップ７の周壁を保持する。
【００５３】
さらに、第二キャップ７は、連結体５Ｃとは周方向の反対側において、柔軟性を有する帯状又は紐状の接続体７Ｃ（接続部）を介して、取付け円筒部１の第二開口１ａ側端部と一体的に連結されている。したがって、取付け円筒部１との係合を解除する際に、保持部７Ｈ（第二キャップ７の周壁）を手指で保持し、接続体７Ｃを支点にして第二キャップ７を回動すると、取付け円筒部１の下端部に第二開口１ａが開放される（図９参照）。なお、筒状部３のフランジ部３Ｚには、携帯用のストラップ８を挿通させるための挿通孔３Ｚａが設けられている。
【００５４】
この実施例に示すケースアタッチメント１０でも、ペットボトルＢ及び飲用アタッチメント１００から取り外したときに、収容空間４ｂ及び予備収容空間４ｂ’を小物類収納用の収容部４として利用することができる。さらにこの実施例では、突出部５Ｈにより、第一キャップ５（キャップ側嵌合部５Ｆ）の嵌合解除操作が容易に行える。また、連結体５Ｃにより、キャップ側嵌合部５Ｆの嵌合を解除したとき第一キャップ５を散逸することがない。一方、保持部７Ｈ（第二キャップ７の周壁）により、第二キャップ７（キャップ側係合部７Ｆ）の係合解除操作が容易に行える。また、接続体７Ｃにより、キャップ側係合部７Ｆの係合を解除したとき第二キャップ７を散逸することがない。なお、取付け円筒部１、筒状部３、第一キャップ５及び第二キャップ７は、合成樹脂材料における二色成形等の手法を用いて、一体成形してもよい。
【００５５】
（変形例）
図１０は図８（実施例２）の第一変形例を示す正面断面図、図１１は同じく第二変形例を示す正面断面図である。
【００５６】
図１０（第一変形例）では、筒状部３の内周面に形成された筒状部側嵌合部３Ｆ（嵌合部）と、第一キャップ５の外周面に形成されたキャップ側嵌合部５Ｆ（嵌合部）とが弾性変形可能に嵌合し、いわゆる落し蓋方式（周面嵌合方式）で構成されている。また、取付け円筒部１の内周面に形成された円筒部側係合部１Ｆ（係合部）と、第二キャップ７の外周面に形成されたキャップ側係合部７Ｆ（係合部）とが弾性変形可能に係合し、いわゆる落し蓋方式（周面係合方式）で構成されている。
【００５７】
一方、図１１（第二変形例）では、筒状部３の端面において断続的に形成された凸部３Ｆ１（筒状部側嵌合部；嵌合部）と、第一キャップ５の端面において断続的に形成された凹部５Ｆ１（キャップ側嵌合部；嵌合部）とが嵌合するとともに、筒状部３の端面において断続的に形成された凹部３Ｆ２（筒状部側嵌合部；嵌合部）と、第一キャップ５の端面において断続的に形成された凸部５Ｆ２（キャップ側嵌合部；嵌合部）とが嵌合し、端面嵌合方式で構成されている。また、取付け円筒部１の端面において断続的に形成された凸部１Ｆ１（円筒部側係合部；係合部）と、第二キャップ７の端面において断続的に形成された凹部７Ｆ１（キャップ側係合部；係合部）とが係合するとともに、取付け円筒部１の端面において断続的に形成された凹部１Ｆ２（円筒部側係合部；係合部）と、第二キャップ７の端面において断続的に形成された凸部７Ｆ２（キャップ側係合部；係合部）とが係合し、端面係合方式で構成されている。
【００５８】
したがって、これらの変形例においても、第一キャップ５の嵌合解除操作及び第二キャップ７の係合解除操作が容易に行える。なお、図１１において、筒状部３の端面には全周にわたり凸部３Ｆ１又は凹部３Ｆ２を形成し、第一キャップ５の端面には全周にわたり凹部５Ｆ１又は凸部５Ｆ２を形成し、両者を弾性変形可能に嵌合してもよい。同様に、取付け円筒部１の端面には全周にわたり凸部１Ｆ１又は凹部１Ｆ２を形成し、第二キャップ７の端面には全周にわたり凹部７Ｆ１又は凸部７Ｆ２を形成し、両者を弾性変形可能に係合してもよい。
【００５９】
（実施例３）
図１２は本考案に係るケースアタッチメントのさらに他の例を示す正面断面図である。図１２に示す飲料ボトル装着用収容ケースアタッチメント（以下、単にケースアタッチメントともいう）１０では、収容部４が仕切壁４ａと収容空間４ｂとを有する区画筒状部３１，３２を形成し、筒状部３は、複数（例えば２個）の区画筒状部３１，３２が軸方向に積層された状態でペットボトルＢ（飲料ボトル）の開口円筒部Ｎに装着される（図１参照）。つまり、図１２では、下段の区画筒状部３１と上段の区画筒状部３２とを上下２段に重ねることによって、筒状部３を形成している。
【００６０】
上下の区画筒状部３１，３２には、弾性変形によって嵌合する区画嵌合部３１Ｆ，３２Ｆがそれぞれ形成され、互いに分離可能に一体化されている。具体的には、下段の区画筒状部３１の外周面に形成された下段嵌合部３１Ｆ（区画嵌合部）と、上段の区画筒状部３２の内周面に形成された上段嵌合部３２Ｆ（区画嵌合部）とが弾性変形可能に嵌合し、いわゆるなつめ（棗）蓋方式（周面嵌合方式）で構成されている。
【００６１】
また、上段の区画筒状部３２には、周壁の外周面から半径方向外方へ向かって、周壁における一部を突出することによって、区画突出部３２Ｈ（区画把持部）が一体形成されている。さらに、上段の区画筒状部３２は、区画突出部３２Ｈとは周方向の反対側において、柔軟性を有する帯状又は紐状の区画連結体３２Ｃ（区画連結部）を介して、下段の区画筒状部３１と連結されている。したがって、下段の区画筒状部３１との嵌合を解除する際に、区画突出部３２Ｈを手指で把持し、区画連結体３２Ｃを支点にして上段の区画筒状部３２を回動すると、下段の区画筒状部３１の突出側開口が開放される。
【００６２】
なお、第一キャップ５は、突出部５Ｈ（把持部）とは周方向の反対側において、柔軟性を有する帯状又は紐状の連結体５Ｃ（連結部）を介して、上段の区画筒状部３２と連結されている。よって、上段の区画筒状部３２との嵌合を解除する際に、突出部５Ｈを手指で把持し、連結体５Ｃを支点にして第一キャップ５を回動すると、上段の区画筒状部３２の突出側開口が開放される。
【００６３】
さらに、この実施例においては、取付け円筒部１の外周面に形成された円筒部側係合部１Ｆ（係合部）と、第二キャップ７の内周面に形成されたキャップ側係合部７Ｆ（係合部）とが弾性変形可能に係合し、いわゆるなつめ（棗）蓋方式（周面係合方式）で構成されている。なお、携帯用のストラップ８を挿通させるための挿通孔３Ｚａは、上段嵌合部３２Ｆのフランジ部３Ｚに設けられている。
【００６４】
このように、区画嵌合部３１Ｆ，３２Ｆを着脱する（嵌合したり嵌合解除したりする）ことによって、隣り合う区画筒状部３１，３２の取付け・取外しがワンタッチで行える。これによって、小物類の出し入れが容易に行えるとともに、ペットボトルＢに装着する区画筒状部３１，３２の数を必要数（使用数）に応じて増減することも可能となるので、利便性がさらに向上する。また、上段の区画筒状部３２の周壁外面に区画突出部３２Ｈを形成することによって、区画筒状部３２（上段嵌合部３２Ｆ）の嵌合解除操作が容易に行える。さらに、上段嵌合部３２Ｆの嵌合解除操作に伴い、区画筒状部３２を散逸することがない。なお、取付け円筒部１、区画筒状部３１，３２第一キャップ５及び第二キャップ７は、合成樹脂材料における二色成形等の手法を用いて、一体成形してもよい。
【００６５】
（変形例）
図１３は図１２（実施例３）の第一変形例を示す正面断面図、図１４は同じく第二変形例を示す正面断面図である。
【００６６】
図１３（第一変形例）では、下段の区画筒状部３１の内周面に形成された下段嵌合部３１Ｆ（区画嵌合部）と、上段の区画筒状部３２の外周面に形成された上段嵌合部３２Ｆ（区画嵌合部）とが弾性変形可能に嵌合し、いわゆる落し蓋方式（周面嵌合方式）で構成されている。なお、取付け円筒部１と第二キャップ７とは、図１２（実施例３）と同様にいわゆるなつめ（棗）蓋方式（周面係合方式）で構成されている。
【００６７】
一方、図１４（第二変形例）では、下段の区画筒状部３１の端面において断続的に形成された凸部３１Ｆ１（下段嵌合部；区画嵌合部）と、上段の区画筒状部３２の端面において断続的に形成された凹部３２Ｆ１（上段嵌合部；区画嵌合部）とが嵌合するとともに、下段の区画筒状部３１の端面において断続的に形成された凹部３１Ｆ２（下段嵌合部；区画嵌合部）と、上段の区画筒状部３２の端面において断続的に形成された凸部３２Ｆ２（上段嵌合部；区画嵌合部）とが嵌合し、端面嵌合方式で構成されている。なお、取付け円筒部１と第二キャップ７とは、図１２（実施例３）と同様にいわゆるなつめ（棗）蓋方式（周面係合方式）で構成されている。
【００６８】
したがって、これらの変形例においても、上段の区画筒状部３２の嵌合解除操作が容易に行える。なお、図１４（端面嵌合方式）において、下段の区画筒状部３１の端面には全周にわたり凸部３１Ｆ１又は凹部３１Ｆ２を形成し、上段の区画筒状部３２の端面には全周にわたり凹部３２Ｆ１又は凸部３２Ｆ２を形成し、両者を弾性変形可能に嵌合してもよい。
【００６９】
実施例２（図６〜図１１）、実施例３（図１２〜図１４）において実施例１（図１〜図５，図１５，図１６）と共通する機能を有する部分にはそれぞれ同一符号を付して説明を省略したものがある。
【００７０】
なお、以上の実施例において、本考案に係る飲料ボトル装着用収容ケースアタッチメント及び飲料ボトル装着用飲用アタッチメントは、飲用後のペットボトルに限らず、飲料を充填するための未使用の飲料ボトル等にも適用できる。また、各実施例及び変形例は、技術的な矛盾を生じない範囲において、互いに組み合わせて使用することもできる。さらに、以上の記載から明らかなように、「嵌合部」と「係合部」、「把持部」と「保持部」、及び「連結部」と「接続部」は説明の便宜のため区別して用いているが、それぞれほぼ同じ機能を有している。
【符号の説明】
【００７１】
１        取付け円筒部
１ａ      第二開口
１Ｆ      円筒部側係合部（係合部）
１Ｍ      膨出部
１Ｍａ    挿通孔
２        雌ねじ部
３        筒状部
３ａ      第一開口
３Ｆ      筒状部側嵌合部（嵌合部）
３Ｚ      フランジ部
３Ｚａ    挿通孔
３１，３２  区画筒状部
３１Ｆ，３２Ｆ  区画嵌合部
３２Ｈ    区画突出部（区画把持部）
３２Ｃ    区画連結体（区画連結部）
４        収容部
４ａ      仕切壁
４ｂ      収容空間
４ｂ’    予備収容空間
５        第一キャップ
５Ｄ      凹部
５Ｆ      キャップ側嵌合部（嵌合部）
５Ｈ      突出部（把持部）
５Ｃ      連結体（連結部）
５Ｓ      雌ねじ部
６        意匠プレート
７        第二キャップ
７Ｆ      キャップ側係合部（係合部）
７Ｈ      保持部
７Ｈａ    挿通孔
７Ｃ      接続体（接続部）
８        ストラップ
１０      ケースアタッチメント（飲料ボトル装着用収容ケースアタッチメント）
１６      立体物
１６Ｓ    雄ねじ部
１００    飲用アタッチメント（飲料ボトル装着用飲用アタッチメント；中間部材）
１０１    雌ねじ付き円筒部
１０２    雌ねじ部
１０３    多孔部（本体部）
１０３ａ  本体開口部
１０３ｂ  貫通孔
１０４    開口形成円筒部
１０５    雄ねじ部
Ｂ        ペットボトル（飲料ボトル）
ＢＳ      雄ねじ部
Ｎ        開口円筒部
Ｔ        茶葉（抽出用食品）
ＴＬ      茶殻（残渣；固体）
Ｗ        抽出液（液体）
【図１】
0003171118.tif 000003
【図２】
0003171118.tif 000004
【図３】
0003171118.tif 000005
【図４】
0003171118.tif 000006
【図５】
0003171118.tif 000007
【図６】
0003171118.tif 000008
【図７】
0003171118.tif 000009
【図８】
0003171118.tif 000010
【図９】
0003171118.tif 000011
【図１０】
0003171118.tif 000012
【図１１】
0003171118.tif 000013
【図１２】
0003171118.tif 000014
【図１３】
0003171118.tif 000015
【図１４】
0003171118.tif 000016
【図１５】
0003171118.tif 000017
【図１６】
0003171118.tif 000018